(57)【要約】【課題】  どの方向を壁に向けて置いてもベダル操作可能なごみ箱を提供する。【解決手段】  対向する一対の壁面３Ａ、３Ｂの幅が他の一対の壁面２Ａ、２Ｂの幅より狭い前後左右の４つの壁面を有する筐体状のごみ箱本体の上部に設けたごみ投入口４に対し、蓋体７をごみ箱本体の一端を枢支部として回動自在に設けるとともに、この蓋体をごみ箱下方に設けたペダル６の上下動により昇降する昇降部材により押し上げるペダル開閉式ごみ箱において、ごみ箱本体の隣接する壁面同士の隅角部の下方に壁面からごみ箱本体内方方向に後退するペダル室を５設け、上記のペダル室内にペダル６を配する。【選択図】  図１
2020033157.tif 000002
【特許請求の範囲】
【請求項１】
対向する一対の壁面の幅が他の一対の壁面の幅より狭い前後左右の４つの壁面を有する筐体状のごみ箱本体の上部に設けたごみ投入口に対し、蓋体をごみ箱本体の一端を枢支部として回動自在に設けるとともに、この蓋体をごみ箱下方に設けたペダルの上下動により昇降する昇降部材により押し上げるペダル開閉式ごみ箱において、ごみ箱本体の隣接する壁面同士の隅角部の下方に壁面からごみ箱本体内方方向に後退するペダル室を設け、上記のペダル室内にペダルを配したことを特徴とするペダル開閉式ごみ箱。
【請求項２】
蓋体の枢支部を幅が他の壁面の幅より長い側の壁面の上端に設けた請求項１記載のペダル開閉式ごみ箱。
【請求項３】
前後左右の４つの壁面を有する筐体状のごみ箱本体は平面長方形状である請求項１または２記載のペダル開閉式ごみ箱。
【請求項４】
ペダル室はごみ箱本体の隣接する壁面同士の隅角部の下方を切り欠くことにより構成される請求項１から３の何れかに記載のペダル開閉式ごみ箱。
【請求項５】
ペダル室はごみ箱本体の隣接する壁面同士の隅角部の下方を凹陥させることにより構成される請求項１から３の何れかに記載のペダル開閉式ごみ箱。
【発明の詳細な説明】
【技術分野】
【０００１】
本願発明はごみ箱に関し、より詳細にはペダル開閉式のごみ箱の改良創作に関する。
【背景技術】
【０００２】
ごみ箱上部に設けたごみ投入口に対し蓋体をごみ箱一端を枢支部として回動自在に設けるとともに、この蓋体をごみ箱下方に設けたペダルの上下動により昇降する昇降部材により押し上げるペダル開閉式ごみ箱が公知である。
【０００３】
前記のペダル開閉式ごみ箱においてはベダルは全体がごみ箱正面の壁面から突出するか（特許文献１）、ごみ箱の正面の壁面を凹陥させて構成されるペダル室内に大半を収容して先端のみを壁面から突出させていた（特許文献２）。
【０００４】
前記のごみ箱においては、ペダルを足先で踏み込むだけで蓋体を開放できるので、使い勝手がよく、広く使用されている。
【０００５】
前記のごみ箱は、対向する一対の壁面の幅が他の一対の壁面の幅より狭い前後左右の４つの壁面を有する筐体状のごみ箱本体、すなわち平面ほぼ長方形状とし、蓋体は幅が他の壁面の幅より短い側、すなわち短手側の壁面の上端に枢支部を設けて開閉するのが一般的である（特許文献１、特許文献２）。この場合、ごみ箱は前記の枢支部が設けられる壁面と対向する側の壁面を前方側として、そこにペダルが配される。
【０００６】
縦長となる前記のごみ箱は横幅が狭くなるので限られた空間にも置くことができる利点を有するが、反面蓋体が前後に長くなるために例えばカウンターや棚の下などに置くと開こうとする蓋体がそれらにあたって完全に開ききらない不便さがあった。
【０００７】
一方、長手側の壁面の上端に蓋体の枢支部を設けて開閉する横長のペダル開閉式ごみ箱も提案されている（特許文献３）。この場合、ごみ箱は前記の枢支部が設けられる壁面と対向する側の壁面を前方側として、そこにペダルが配される。
【０００８】
前記のごみ箱は蓋体の前後が短いので例えばカウンターや棚の下など、上方向のスペースが限られている場所に置くことができる利点を有するが、反面横幅が長くなるので設置スペースが限られるという不便さがあった。
【先行技術文献】
【特許文献】
【０００９】
【特許文献１】実用新案登録第３１３２１８８号
【特許文献２】実開平０７−０１９２１０
【特許文献３】特許第３９６７９０１号
【発明の開示】
【発明が解決しようとする課題】
【００１０】
前記のように、従来技術のペダル開閉式ごみ箱においてはごみ箱を壁面に接して置く場合に縦長のごみ箱の場合は短手側の壁面を壁に向けないと、ペダルが前面に位置しなくなりペダル操作が困難となり、横長のごみ箱の場合は長手側の壁面を壁に向けないと、ペダルが前面に位置しなくなりペダル操作が困難となる。従って、消費者は購入に際して縦長の場合、横長の場合の使い勝手に関してのそれぞれ一長一短や、どのような環境で使用するかを考慮しないといけない煩わしさがあった。
【課題を解決するための手段】
【００１１】
本願発明は以上の従来技術の問題点を解消したペダル開閉式ごみ箱を提供することを目的として創作されたものであり、対向する一対の壁面の幅が他の一対の壁面の幅より狭い前後左右の４つの壁面を有する筐体状のごみ箱本体の上部に設けたごみ投入口に対し、蓋体をごみ箱本体の一端を枢支部として回動自在に設けるとともに、この蓋体をごみ箱下方に設けたペダルの上下動により昇降する昇降部材により押し上げるペダル開閉式ごみ箱において、ごみ箱本体の隣接する壁面同士の隅角部の下方に壁面からごみ箱本体内方方向に後退するペダル室を設け、上記のペダル室内にペダルを配したことをことを特徴とする。
【００１２】
また、請求項２記載の発明は、前記のペダル開閉式ごみ箱において、蓋体の枢支部を幅が他の壁面の幅より長い側の壁面の上端に設けたことを特徴とする。
【００１３】
また、請求項３記載の発明は、前記のペダル開閉式ごみ箱において、前後左右の４つの壁面を有する筐体状のごみ箱本体は平面長方形状であることを特徴とする。
【００１４】
また、請求項４記載の発明は、前記のペダル開閉式ごみ箱において、ペダル室はごみ箱本体の隣接する壁面同士の隅角部の下方を切り欠くことにより構成されることを特徴とする。
【００１５】
また、請求項５記載の発明は、前記のペダル開閉式ごみ箱において、ペダル室はごみ箱本体の隣接する壁面同士の隅角部の下方を凹陥させることにより構成されることを特徴とする。
【発明の効果】
【００１６】
本願発明のペダル開閉式ごみ箱の特徴は、ごみ箱本体の隣接する壁面同士の隅角部の下方に壁面からごみ箱本体内方方向に後退するペダル室を設けた点にある。従来技術のペダル開閉式ごみ箱においては、ペダル室は全てごみ箱の正面の壁面に設けられるものでありこのような発想は存しなかった。
【００１７】
前記の結果、本願発明のペダル開閉式ごみ箱においては蓋体を開閉するペダルはごみ箱本体の隣接する壁面同士の隅角部に配され、ペダルは隣接するどちらの壁面側でも操作可能となるので、壁面に接して置く場合に短手側の壁面を壁に向けても、長手側の壁面を壁に向けてもペダル操作を行うことができる。
【００１８】
本願発明においてペダル室が設けられる隣接する壁面同士の隅角部は両側の壁面が９０度の角度をなす。すなわち、正面の壁面に凹陥させることにより設けられる従来技術のペダル開閉式ごみ箱のペダル室においてはペダルの奥行き方向に対し壁面は直交する位置に存するが、本願発明においては両側の壁面は４５度の角度をもって内方に後退することを意味する。従って、従来技術においてはベダルに対して横方向から足先を差し入れることを可能とするためには、直交する位置に存する正面の壁面に遮られないように、ペダル室の横幅を拡げて壁面端をベダルから遠ざけなくてはならなかったが、本願発明においてはペダル室の幅を最小限としても壁面が足先を遮ることがない。
【００１９】
前記の結果、本願発明においては、ペダル室の幅を最小限とした場合でも、ペダルの先端をごみ箱の壁面から突出させなくてもベダル操作に支障を来すことがなくなり、従来困難であったごみ箱同士のスタッキングが可能となる。
【００２０】
また、ペダル室の幅を最小限にでき、かつ、ペダル室はごみ箱の正面でなく、隅角に配置されるので、ペダル室がごみ箱の収容量に悪影響を与えるおそれが少なくなる。
【図面の簡単な説明】
【００２１】
【図１】本願発明のペダル開閉式ごみ箱の斜視図。
【図２】同上、異なる角度から観察した斜視図。
【図３】同上、正面図。
【図４】同上、側面図。
【図５】本願発明のペダル開閉式ごみ箱の異なる実施例の斜視図。
【発明を実施するための最良の形態】
【００２２】
以下、本願発明のペダル開閉式の具体的実施例を添付図面に基づいて説明する。本願発明はごみ箱上部に設けたごみ投入口に対し蓋体をごみ箱一端を枢支部として回動自在に設けるとともに、この蓋体をごみ箱下方に設けたペダルの上下動により昇降する昇降部材により押し上げる公知のペダル開閉式ごみ箱に実施される。
【００２３】
図中符合１はプラスチック素材により構成されるごみ箱の本体を示す。ごみ箱本体１は前後左右の４つの壁面、すなわち、前側壁２Ａ、後側壁２Ｂ、右側壁３Ａ、左側壁３Ｂを有する。上記の前後左右の４つの壁面は、前側壁２Ａ、後側壁２Ｂの幅が右側壁３Ａ、左側壁３Ｂの幅より広い平面長方形状としている。また、ここでは、底部外寸法を開口内寸法より小さくした下窄み状とすることによりスタッキング可能としているが、下窄み状としなくてもよいことは勿論である。
【００２４】
なお、ここでは前後左右の４つの壁面を有する形状として平面方形状のものを図示しているが、各壁面は丸みを帯びていてもよく、また、隣接する壁面同士の隅角部は完全な角ではなく丸みを帯びていてもよい。
【００２５】
前記のごみ箱本体１は上方をごみ投入口４として開口されるが、ごみ投入口に対し蓋体７が回動自在に設けられる。蓋体７はここでは枢支部を長手側の壁面である後側壁２Ｂの上端に枢支をもって開閉するように設けられ、ペダル操作によっても開閉できる機構が設けられる。上記の機構としては例えば下記の公知技術（図示せず）が想定できる。
【００２６】
すなわち、ごみ箱本体１の上下方向には昇降杆が昇降自在に配され、ごみ箱本体の底部裏面に設けた枢支部を支点として上下にシーソー状に回動する回動杆の後端に、昇降杆の下端が枢支部をもって連結されると共に、昇降杆の上端の当接部が蓋体の裏面の枢支部近傍に設けた当接部に当接するように配される。前記の回動杆の前方には足踏み操作可能なペダル６がごみ箱本体の下方に配されるものであり、ペダルの下降時に上昇する昇降杆により蓋体が押し開けられることとなる。
【００２７】
図中符号５は本願発明のペダル開閉式ごみ箱の特徴箇所を構成するペダル室である。ペダル室５はごみ箱本体１の隣接する壁面同士（ここでは前側の壁面２Ａと右側の壁面３Ａ）の隅角部の下方に壁面からごみ箱本体内方方向に後退した箇所に設けられる。
【００２８】
この実施例では前記のペダル室５はごみ箱本体１の前側の壁面２Ａと右側の壁面３Ａの下方を切り欠くことにより形成されているが、前側の壁面２Ａと右側の壁面３Ａの下方をごみ箱本体の内方に向かって凹陥させて形成してもよい。
【００２９】
ペダル室５はこの実施例ではごみ箱本体１の前側の壁面２Ａと右側の壁面３Ａの下端を三角形状に切り欠くことによりごみ箱本体の隅角部に三角錐状の空間としているが、前側の壁面２Ａと右側の壁面３Ａの下端の切り欠きは三角形状に限られないことはもちろんである。
【００３０】
図中符号６はペダルであり、ここでは、スタッキングを考慮してごみ箱本体の壁面より外に突出しないように前記のペダル室５内に配している。
【００３１】
図５は本願発明のペダル開閉式ごみ箱において、蓋体７を短手側、すなわち左側の壁面３Ｂの上端を枢支部とした場合を示す図である。
【符号の説明】
【００３２】
１        ごみ箱本体
２Ａ      （ごみ箱本体）の前側の壁面
２Ｂ      （ごみ箱本体）の後側の壁面
３Ａ      （ごみ箱本体）の右側の壁面
３Ｂ      （ごみ箱本体）の左側の壁面
４        ごみ投入口
５        ペダル室
６        ペダル
７        蓋体
【図１】
2020033157.tif 000003
【図２】
2020033157.tif 000004
【図３】
2020033157.tif 000005
【図４】
2020033157.tif 000006
【図５】
2020033157.tif 000007